(57)【要約】【課題】  動的にグループおよびグループに参加する端末装置を管理することができる。【解決手段】  ＰｏＣを行うためのＰｏＣ情報発信装置２において、所定のエリアに対してＰｏＣに参加するＰｏＣ端末装置３、３ａの情報の発信の指示およびグループを一意に識別するためのグループ情報を繰り返し発信する情報発信手段と、返信を返したＰｏＣ端末装置３、３ａの数をカウントするカウント手段と、を有し、情報発信手段は、返信の数が所定の回数に達したとき、新たなグループ情報を発信する。【選択図】  図１
2007067995.tif 000002
【特許請求の範囲】
【請求項１】
プッシュ・ツー・トークを行うためのプッシュ・ツー・トーク情報発信装置において、
所定のエリアに対してプッシュ・ツー・トークに参加する端末装置の情報の発信の指示と前記端末装置により形成されるグループの一意の識別とをするためのグループ情報を繰り返し発信する情報発信手段と、
返信を返した前記端末装置の数をカウントするカウント手段と、を有し、
前記情報発信手段は、前記返信の数が所定の回数に達したとき、新たな前記グループ情報を発信することを特徴とするプッシュ・ツー・トーク情報発信装置。
【請求項２】
前記新たな前記グループ情報を作成するグループ情報作成手段をさらに有することを特徴とする請求項１記載のプッシュ・ツー・トーク情報発信装置。
【請求項３】
前記エリア内には、管理者権限を有する管理用端末装置が予め設けられており、
前記管理用端末装置は、同じグループを構成する前記端末装置の情報を受信し、前記同じグループを構成する前記端末装置との間で送受信を行うことを特徴とする請求項１記載のプッシュ・ツー・トーク情報発信装置。
【請求項４】
前記同じグループ内では、前記管理用端末装置は前記エリア内の全ての前記端末装置とプッシュ・ツー・トークが可能であり、前記端末装置は前記管理用端末装置とのみプッシュ・ツー・トークが可能であることを特徴とする請求項３記載のプッシュ・ツー・トーク情報発信装置。
【請求項５】
プッシュ・ツー・トークを行うためのプッシュ・ツー・トーク情報発信方法において、
所定のエリアに対してプッシュ・ツー・トークに参加する端末装置の情報の発信の指示と前記端末装置により形成されるグループの一意の識別とをするためのグループ情報を繰り返し発信し、
返信を返した前記端末装置の数をカウントし、
前記返信の数が所定の回数に達したとき、新たな前記グループ情報を発信する、
ことを特徴とするプッシュ・ツー・トーク情報発信方法。
【発明の詳細な説明】
【技術分野】
【０００１】
本発明はプッシュ・ツー・トーク情報発信装置およびプッシュ・ツー・トーク情報発信方法に関し、特に、プッシュ・ツー・トークを行うためのプッシュ・ツー・トーク情報発信装置およびプッシュ・ツー・トーク情報発信方法に関する。
【背景技術】
【０００２】
携帯電話端末をトランシーバのように利用することを特徴としたコミュニケーション手段であるＰｏＣ（Push-to-Talk over Cellular）が知られている（例えば、特許文献１参照）。
【０００３】
ＰｏＣは、１対１の通話はもちろん、通話したい相手をグルーピングすることで、ネットワーク上のグループ内で、共通の情報を同時に複数の携帯電話端末に発信する通話（以下、一斉同報通話という）が可能であり、通信事業者にとっては、音声サービスの全く新しい領域を切り開き、電話サービスを大幅に強化するものである。また、ＰｏＣを用いたＰｏＣサービスは通常の回線交換方式と異なりデータ通信網を使用するため通話コストが安くなることから、利用者にとっても効率的なコミュニケーション手段となる。
【０００４】
このようにＰｏＣは従来のコミュニケーション手段と比較し、一斉同報通話が安価で実現できることが最大の特徴であり、一斉同報通話を実現するためのグルーピングが重要な役割を果たすことになる。従って、ＰｏＣの利便性を向上させるためには、グルーピングの簡便性を向上させることが必要である。
【０００５】
図１７は、従来のＰｏＣにおける、同報通話グルービング方法の概要を示す図である。
図１７において、ＧＬＭＳサーバ９１は、グループリスト管理およびプレゼンス管理を行うサーバであり、ＰｏＣサーバ９２は、ＰｏＣ制御管理、ＰｏＣ参加管理を行うサーバであり、ＳＩＰ（Session Initiation Protocol）サーバ９３は、セッション確立などの処理を仲介役として手助けするサーバである。
【０００６】
また、同報通信グループ９９には、ＰｏＣ端末装置９４、９５が登録されている。このように登録済の同報通信グループ９９に対し、新たにＰｏＣ端末装置９６が参加する場合（図内の点線矢印）、ＰｏＣを用いた一般的なグルーピングは、下記の手順で実施される。
【０００７】
まず、ユーザがＰｏＣ端末装置９６を操作し、グループリスト管理サーバ（図中：ＧＬＭＳサーバ）にグループリストを問い合わせる（ステップＳ１０１）。
次に、取得したグループリストから参加したいグループを選択すると、ＰｏＣ端末装置９６がグループリスト管理サーバにアクセスを行う（ステップＳ１０２）。
【０００８】
次に、ユーザが登録操作を行うことで、ＰｏＣ端末装置９６がグループに登録される（ステップＳ１０３）。
次に、ユーザがＰｏＣ端末装置９６を操作し、グループ情報に参加する（ステップＳ１０４）。
【０００９】
以上のようにＰｏＣ端末装置を利用するユーザが自らグループを問い合わせ、選択し、自分が所望のグループに登録されていない場合には自分で登録設定することでグルーピングが実現されている。
【特許文献１】特表２００３−５２６２７５号公報
【発明の開示】
【発明が解決しようとする課題】
【００１０】
しかしながら、従来のグルーピング方法では、予めグループの参加メンバを決定しておく必要があり、グループに対する参加メンバが頻繁に変動するような場合やグループ自体が頻繁に変動するような場合には、いずれのグループに参加すべきかを利用者が判断しなければならないため利便性が著しく低く、また利用者によりグループへの登録設定を自由に行われてしまうと、運用者側にとってはグループの管理が困難になるという問題があった。
【００１１】
本発明はこのような点に鑑みてなされたものであり、動的にグループおよびグループに参加する端末装置を管理することができるプッシュ・ツー・トーク情報発信装置およびプッシュ・ツー・トーク情報発信方法を提供することを目的とする。
【課題を解決するための手段】
【００１２】
本発明では上記問題を解決するために、図１に示すようなプッシュ・ツー・トークを行うためのプッシュ・ツー・トーク情報発信装置２において、所定のエリアに対してプッシュ・ツー・トークに参加する端末装置３、３ａの情報の発信の指示およびグループを一意に識別するためのグループ情報を繰り返し発信する情報発信手段と、返信を返した端末装置３、３ａの数をカウントするカウント手段と、を有し、情報発信手段は、返信の数が所定の回数に達したとき、新たなグループ情報を発信することを特徴とするプッシュ・ツー・トーク情報発信装置２が提供される。
【００１３】
このようなプッシュ・ツー・トーク情報発信装置２によれば、情報発信手段が所定のエリアに対してプッシュ・ツー・トークに参加する端末装置の情報の発信の指示と端末装置により形成されるグループの一意の識別とをするためのグループ情報を繰り返し発信し、カウント手段がグループ情報を受け取った端末装置からの返信の数をカウントし、返信の数が所定の回数に達したとき、情報発信手段は新たなグループ情報を発信する。
【００１４】
また、上記課題を解決するために、プッシュ・ツー・トークを行うためのプッシュ・ツー・トーク情報発信方法において、所定のエリアに対してプッシュ・ツー・トークに参加する端末装置の情報の発信の指示と前記端末装置により形成されるグループの一意の識別とをするためのグループ情報を繰り返し発信し、返信を返した前記端末装置の数をカウントし、前記返信の数が所定の回数に達したとき、新たな前記グループ情報を発信する、ことを特徴とするプッシュ・ツー・トーク情報発信方法が提供される。
【００１５】
このようなプッシュ・ツー・トーク情報発信方法によれば、所定のエリアに対してプッシュ・ツー・トークに参加する端末装置の情報の発信の指示と端末装置により形成されるグループの一意の識別とをするためのグループ情報が発信され、返信を返した端末装置の数がカウントされ、返信の数が所定の回数に達したとき、新たなグループ情報が発信される。
【発明の効果】
【００１６】
本発明によれば、所定のエリア内に存在する端末装置に対してグループ情報を発信し、グループ情報を受け取った端末装置からの返信通知をカウントし、所定のカウント毎に新たなグループを生成することにより、グループに参加する端末装置の数に応じて動的に新しいグループを容易かつ確実に生成することができる。
【００１７】
また、グループ情報によりグループが一意に識別されるため、複数のグループが存在してもこれらを容易に識別することができる。
【発明を実施するための最良の形態】
【００１８】
以下、本発明の実施の形態を図面を参照して詳細に説明する。
まず、実施の形態に適用される発明の概要について説明を行い、その後、実施の形態の具体的な内容を説明する。
【００１９】
図１は、実施の形態に適用されるＰｏＣ情報配信システムの原理図である。
図１に示すＰｏＣ情報発信システム１は、プッシュ・ツー・トーク情報発信装置（以下ＰｏＣ情報発信装置という）２と、プッシュ・ツー・トーク通話機能を有し、プッシュ・ツー・トークに参加するプッシュ・ツー・トーク端末装置（以下ＰｏＣ端末装置という）３、３ａと、ＰｏＣ端末装置３、３ａの管理用端末装置４と、ＰｏＣ端末装置３、３ａとの間で送受信を行うグループリスト管理サーバ５とを有している。
【００２０】
ＰｏＣ情報発信装置２は、グループ情報を特定エリア（グループリスト発信エリア）Ａに発信する。また、ＰｏＣ情報発信装置２は、グループ情報、発信者権限情報および所定返信回数情報を格納（登録）する記憶部２１を有している。
【００２１】
ここで、グループ情報は、所定のエリアに対してＰｏＣに参加するＰｏＣ端末装置３、３ａ固有の情報の発信の指示と、ＰｏＣ端末装置３、３ａにより形成されるグループの一意の識別とをするための情報である。また、発信者権限情報は、管理用端末装置４に送信され、管理用端末装置４を使用する管理者が、ＰｏＣ情報発信システム１により形成されるグループを識別するための情報である。また、所定返信回数情報は、所定の回数が記憶された情報である。
【００２２】
また、ＰｏＣ情報発信装置２は、このようなグループ情報を発信する情報発信手段と、返信を返したＰｏＣ端末装置３、３ａの数をカウントするカウント手段とを有している。
ＰｏＣ端末装置３、３ａは、グループ情報を受信すると、グループ情報受信通知を発信することができる状態になる。そして、例えば受信したグループ情報に示されるグループへの参加を所望するユーザ等の操作によりグループ情報受信通知がＰｏＣ情報発信装置２へ向けて発信される。このときＰｏＣ端末装置３、３ａは、グループリスト管理サーバ５にアクセスを行いグループへの参加手続きを行う。
【００２３】
管理用端末装置４は、同じグループを構成する全てのＰｏＣ端末装置とＰｏＣによる通話が可能であり、ＰｏＣ端末装置３、３ａは、同じグループ内では、管理用端末装置４とのみＰｏＣによる通話が可能である。
【００２４】
グループリスト管理サーバ５は、情報の発信の指示によりＰｏＣ端末装置３、３ａから発信される情報をグループ毎に管理するサーバである。また、グループリスト管理サーバ５は、ＰｏＣ情報発信装置２に対してグループ情報、発信者権限情報および所定返信回数情報を送信する。また、グループリスト管理サーバ５は、返信を返した端末装置の数が所定の回数に達したことを受信したとき、新たなグループ情報（新規グループ情報）を作成し、ＰｏＣ情報発信装置２に送信する。
【００２５】
次に、ＰｏＣ情報発信システム１の動作について説明する。
まず、グループリスト管理サーバ５が、ＰｏＣ情報発信装置２に対し、グループ情報と発信者権限情報と所定返信回数情報とを送信する（ステップＳ１）。
【００２６】
次に、ＰｏＣ情報発信装置２は、受信したグループ情報と発信者権限情報と所定返信回数情報とを記憶部２１に格納する（ステップＳ２）。
そして、ＰｏＣ情報発信装置２は、特定エリアＡにグループ情報の発信を開始する（ステップＳ３）。
【００２７】
その後、ＰｏＣ端末装置３が特定エリアＡに移動すると、ＰｏＣ端末装置３がグループ情報を受信する（ステップＳ４）。
その後、ＰｏＣ端末装置３からの受信通知があると、ＰｏＣ情報発信装置２は、グループへの参加手続きおよびグループ情報受信通知を受信する（ステップＳ５）。
【００２８】
次に、ＰｏＣ情報発信装置２がグループ情報受信通知を受信することで、返信回数をカウントアップする（ステップＳ６）。
その結果、ＰｏＣ情報発信装置２の返信の数が、ステップＳ１にて通知された所定返信回数に達した場合は、グループリスト管理サーバ５に新規グループ情報登録要求（所定回数送信通知）を行う（ステップＳ７）。
【００２９】
新規グループ情報登録要求を受信したグループリスト管理サーバ５は、新たなグループ情報を作成し（ステップＳ８）、ＰｏＣ情報発信装置２に通知する（ステップＳ９）。
新規グループ情報を受信したＰｏＣ情報発信装置２は、グループ情報を更新し(ステップＳ１０)、ステップＳ１にて通知した発信者権限情報から特定された発信者権限の管理用端末装置４に、新規グループ情報を通知する（ステップＳ１１）。
【００３０】
そして、ＰｏＣ情報発信装置２は、以後は新規グループ情報の発信を開始する（ステップＳ１２）。
その後、新たなＰｏＣ端末装置３ａが特定エリアＡに移動してきた場合、ＰｏＣ端末装置３ａは、ステップＳ１０で更新されたグループ情報を受信し、以後同様の動作を行う。
【００３１】
このようなＰｏＣ情報発信装置２によれば、グループへの参加手続きとは別個に返信回数をカウントし、所定返信回数に達した場合、新規グループ情報を通知することによって、動的なグループ情報の生成が可能となる。
【００３２】
以下、本発明の実施の形態を図面を参照して詳細に説明する。
図２は、ＰｏＣ情報発信システムを示すブロック図である。
ＰｏＣ情報発信システム１０は、移動体通信網２０と、移動体通信網２０に接続された移動体キャリアプライベートＩＰ網３０と、移動体通信網２０との間で通信を行うセル式送信局４０と、セル式送信局４０により形成されるセルエリアＸ内に設けられたＰｏＣ情報発信装置１００と、ＰｏＣ情報発信装置１００により形成される、ＰｏＣ情報発信装置１００が発信する無線が届くエリアであるエリアＡ１内に設けられた３つのＰｏＣ端末装置２００、２００、２００およびＰｏＣ端末装置２１０と、移動体キャリアプライベートＩＰ網３０を介してＰｏＣ情報発信装置１００にそれぞれ接続されたグループリスト管理サーバ３００、ＳＩＰサーバ４００、ＰｏＣサーバ５００および保守用端末６００とで構成されている。
【００３３】
各ＰｏＣ端末装置２００およびＰｏＣ端末装置２１０は、それぞれ、例えば、無線ＬＡＮ（Local Area Network）、赤外線、Ｂｌｕｅｔｏｏｔｈ（登録商標）等の無線通信手段と移動体通信網とにアクセス可能なハイブリッド端末装置である。
【００３４】
また、ＰｏＣ端末装置２１０は、予めエリアＡ１に常駐しており発信者権限（後述）を有している。発信者権限は、ＰｏＣ情報発信装置１００からの発信者権限通知を受信することにより得ることができる。また、ＰｏＣ端末装置２１０は、ＰｏＣ情報発信装置１００から発信されるグループＩＤを記憶することができる。
【００３５】
ＰｏＣ端末装置２１０は、例えば、エリアＡ１を管理する責任者等が保持している。
グループリスト管理サーバ３００は、移動体キャリアプライベートＩＰ網３０を介してＰｏＣ情報発信装置１００に接続されている。
【００３６】
ＳＩＰサーバ４００は、各ＰｏＣ端末装置２００およびＰｏＣ端末装置２１０とグループリスト管理サーバ３００との間で行なわれるセッション確立などの処理の仲介役として手助けを行う。
【００３７】
ＰｏＣサーバ５００は、ＰｏＣサービスのためのアプリケーション・レベル・ネットワーク機能を実現する。
保守用端末６００は、グループリスト管理サーバ３００にアクセスして、グループリスト関連データを管理する。
【００３８】
グループリスト管理サーバ３００は、ＰｏＣ情報発信装置１００からの要求に応じてＰｏＣ情報発信装置１００に対してグループＩＤ、発信者権限情報、所定返信回数情報等、各種情報の送信を行う。なお、グループＩＤ、発信者権限情報および所定返信回数情報については後に詳述する。
【００３９】
各ＰｏＣ端末装置２００やＰｏＣ端末装置２１０が互いにＰｏＣ通信を行う際には、通常の移動体電話網を利用するので、セル式送信局４０および移動体通信網２０、移動体キャリアプライベートＩＰ網３０を介してＰｏＣ通信を管理するＰｏＣサーバ５００を経由し通信を行うことになる。
【００４０】
また、各ＰｏＣ端末装置２００およびＰｏＣ端末装置２１０がＰｏＣ情報発信装置１００と通信を行う際には、ＰｏＣ情報発信装置１００配下（エリアＡ１の範囲）の無線ＬＡＮを利用することになる。ここで、ＰｏＣ情報発信装置１００は、（グルーピングを行うために）以下のようなハードウェア構成を有している。
【００４１】
図３は、ＰｏＣ情報発信装置のハードウェア構成例を示す図である。
ＰｏＣ情報発信装置１００は、ＣＰＵ（Central Processing Unit）１０１によって装置全体が制御されている。ＣＰＵ１０１には、バス１０１ａを介してＲＡＭ（Random Access Memory）１０２、ハードディスクドライブ（ＨＤＤ:Hard Disk Drive）１０３、グラフィック処理装置１０４、入力インタフェース１０５および通信インタフェース１０６が接続されている。
【００４２】
ＲＡＭ１０２には、ＣＰＵ１０１に実行させるＯＳ（Operating System）のプログラムやアプリケーションプログラムの少なくとも一部が一時的に格納される。また、ＲＡＭ１０２には、ＣＰＵ１０１による処理に必要な各種データが格納される。ＨＤＤ１０３には、ＯＳやアプリケーションプログラムが格納される。
【００４３】
グラフィック処理装置１０４には、モニタ１１が接続されている。グラフィック処理装置１０４は、ＣＰＵ１０１からの命令に従って、画像をモニタ１１の画面に表示させる。入力インタフェース１０５には、キーボード１２とマウス１３とが接続されている。入力インタフェース１０５は、キーボード１２やマウス１３から送られてくる信号を、バス１０１ａを介してＣＰＵ１０１に送信する。
【００４４】
通信インタフェース１０６は、移動体キャリアプライベートＩＰ網３０に接続されている。通信インタフェース１０６は、移動体キャリアプライベートＩＰ網３０を介して、グループリスト管理サーバ３００、ＳＩＰサーバ４００、ＰｏＣサーバ５００および保守用端末６００との間でデータの送受信を行う。
【００４５】
以上のようなハードウェア構成によって、本実施の形態の処理機能を実現することができる。なお、図３には、ＰｏＣ情報発信装置１００のハードウェア構成を説明したが、グループリスト管理サーバ３００、ＳＩＰサーバ４００、ＰｏＣサーバ５００および保守用端末６００も同様のハードウェア構成で実現することができる。
【００４６】
以下、図２、図３の示す構成のシステムにおける各部の機能について詳細に説明する。
まず、ＰｏＣ情報発信装置１００の機能について具体的に説明する。
図４は、ＰｏＣ情報発信装置の構成を示すブロック図である。
【００４７】
ＰｏＣ情報発信装置１００は、グループＩＤを格納するグループＩＤ記憶部１１１と、グループＩＤ管理部１１２と、グループＩＤ送信部１１３と、通信制御部１１４と、グループ情報操作部１１５と、発信者権限情報記憶部１１６と、返信回数記憶部１１７と、グループリスト管理サーバ情報記憶部１１８と、通信手段１１９とを有している。
【００４８】
グループＩＤ管理部１１２は、グループＩＤ記憶部１１１に格納されるグループＩＤを管理する。グループＩＤ管理部１１２は、グループＩＤの登録要求があるとグループＩＤ記憶部１１１にグループＩＤを新たに登録し、グループＩＤの削除要求があるとグループＩＤ記憶部１１１から該当するグループＩＤを削除する。
【００４９】
また、グループＩＤ管理部１１２は、必要に応じて、グループＩＤ記憶部１１１からグループＩＤの読み出しを行い、読み出したグループＩＤをグループＩＤ送信部１１３に出力する。
【００５０】
グループＩＤ送信部１１３は、グループＩＤ発信指示があると、通信制御部１１４にグループＩＤを出力する。
通信制御部１１４は、無線／有線の通信手段１１９を介してグループリスト管理サーバ３００との間で各種情報の送受信を行う。通信制御部１１４は、ＰｏＣ端末装置２００からのグループＩＤ受信通知およびグループリスト管理サーバ３００からのグループＩＤ、発信者権限情報、所定返信回数情報およびグループリスト管理サーバ３００のＩＰアドレスを受信すると、これらをグループ情報操作部１１５に出力する。
【００５１】
また、通信制御部１１４は、グループＩＤ送信部１１３およびグループ情報操作部１１５から各種通知を受け取ると、その通知を対象となる装置に対して送信する。
グループ情報操作部１１５は、グループＩＤを取得すると、グループ情報登録要求またはグループ情報削除要求をグループＩＤ管理部１１２に出力する。また、発信者権限情報を取得すると、その発信者権限情報を発信者権限情報記憶部１１６に出力する。また、グループ返信回数情報を取得すると、そのグループ返信回数情報を返信回数記憶部１１７に出力する。また、グループリスト管理サーバ３００のＩＰアドレスを取得すると、グループリスト管理サーバ情報記憶部１１８に出力する。グループ情報操作部１１５は、これらの情報を必要に応じて読み出し、通信制御部１１４に通知する。
【００５２】
さらに、グループ情報操作部１１５は、グループＩＤを取得すると、通信制御部１１４に発信者権限通知を出力する。
発信者権限情報記憶部１１６は、発信者権限管理テーブル１３０を有しており、発信者権限情報は、発信者権限管理テーブル１３０に格納される。
【００５３】
返信回数記憶部１１７は、グループＩＤ返信回数管理テーブル１２０を有しており、所定返信回数情報は、グループＩＤ返信回数管理テーブル１２０に格納される。
グループリスト管理サーバ情報記憶部１１８は、グループリスト管理サーバ情報テーブル１４０を有しており、グループリスト管理サーバ情報は、グループリスト管理サーバ情報テーブル１４０に格納される。
【００５４】
通信手段１１９は、ＰｏＣ情報発信装置１００がＰｏＣ端末装置２００、グループリスト管理サーバ３００等との間で各種情報を送受信するためのインタフェース部を構成している。
【００５５】
次に、ＰｏＣ情報発信装置１００の各記憶部に設けられたテーブルについて説明する。
図５は、グループＩＤ返信回数管理テーブルを示す図である。
グループＩＤ返信回数管理テーブル１２０には、所定返信回数および返信回数の欄が設けられている。
【００５６】
所定返信回数の欄には、所定返信回数情報の所定返信回数が設定される。返信回数の欄には、ＰｏＣ端末装置２００からの現在送信中のグループＩＤに対する返信回数が格納される。図５では一例として所定返信回数２０が設定されており、返信回数１８が格納されている。
【００５７】
通信制御部１１４は、ＰｏＣ端末装置２００からグループＩＤ受信通知を受信すると、グループ情報操作部１１５に対して返信回数のインクリメント要求を出力する。
また、所定返信回数と返信回数とが等しくなったときは、グループ情報操作部１１５が通信制御部１１４に所定回数送信通知を出力する。そして、新たなグループＩＤにつきグループリスト管理サーバ３００から通知されると、返信回数を０にクリアする。
【００５８】
図６は、発信者権限管理テーブルを示す図である。
発信者権限管理テーブル１３０には、発信者権限番号およびＩＰアドレスの欄が設けられている。各欄の横方向に並べられた情報同士が互いに関連づけられている。
【００５９】
発信者権限番号の欄には、例えば、ニックネーム等、発信者権限を識別し得る情報が設定される。図６では一例として発信者権限１、発信者権限２が設定されている。
ＩＰアドレスの欄には、発信者権限を有するＰｏＣ端末装置２１０のＩＰアドレスが設定される。図６では一例として１９２．１６８．１．１が設定されている。また、発信者権限２は登録されていないため未登録となっている。
【００６０】
図７は、グループリスト管理サーバ情報テーブルを示す図である。
グループリスト管理サーバ情報テーブル１４０には、ＩＰアドレスの欄が設けられている。ＩＰアドレスの欄には、グループリスト管理サーバ３００のＩＰアドレスが設定される。図７では一例として１９２．１６８．１１０．１が設定されている。
【００６１】
次に、ＰｏＣ端末装置２００の構成について説明する。
図８は、ＰｏＣ端末装置を示すブロック図である。
ＰｏＣ端末装置２００は、ＰｏＣ情報発信装置１００から得られるグループＩＤおよびグループリスト管理サーバ３００から得られるＧｒｏｕｐＮａｍｅ情報（後述）を格納するグループ情報記憶部２１１と、グループＩＤやＧｒｏｕｐＮａｍｅ等を表示する表示部２１２と、ユーザからの端末操作を受け付ける端末操作受け付け部２１３と、グループ情報記憶部２１１に格納されたグループＩＤ、ＧｒｏｕｐＮａｍｅの登録および削除を行うグループ情報管理部２１４と、ＰｏＣ機能を備えたＰｏＣクライアント機能部２１５と、ユーザが他のユーザとの通話を行う機能を備える通話機能部２１６と、ＰｏＣ情報発信装置連携部２１７と、通信制御部２１８と、無線通信手段２１９とを有している。
【００６２】
無線通信手段２１９は、ＰｏＣ情報発信装置１００との間で各種メッセージを送受信するためのインタフェースとセル式送信局を介して移動体通信を行うためのインタフェースとを構成している。
【００６３】
通信制御部２１８は、無線通信手段２１９を介してＰｏＣ情報発信装置１００および移動体通信網２０による送受信を行う。
ＰｏＣ情報発信装置連携部２１７は、通信制御部２１８からグループＩＤを取得すると、グループ情報管理部２１４にグループＩＤ登録要求／グループＩＤ削除要求を出力する。また、ＰｏＣ情報発信装置連携部２１７は、グループＩＤ受信通知指示があると、ＰｏＣ情報発信装置１００に対してグループＩＤ受信通知を送信する。
【００６４】
次に、ＰｏＣ端末装置２００の動作について説明する。
まず、無線通信手段２１９がＰｏＣ情報発信装置１００からメッセージを受信すると、通信制御部２１８に出力する。
【００６５】
通信制御部２１８は、メッセージがグループＩＤであるか否かを判断し、グループＩＤであれば、ＰｏＣ情報発信装置連携部２１７に出力する。
ＰｏＣ情報発信装置連携部２１７は、受信したグループＩＤをグループ情報管理部２１４に出力する。そして、グループ情報管理部２１４は、グループＩＤをグループ情報記憶部２１１に記憶する。その後、ＰｏＣ情報発信装置１００から受信したグループＩＤを参加可能なグループとしてグループ情報表示部２１２で表示できるようになる。ユーザからグループ情報表示部２１２に表示した中からあるグループに対する参加入力を受け付けた場合には、ＰｏＣクライアント機能部２１７が、ユーザが参加入力したグループＩＤへの参加要求を通信制御部２１８、無線通信手段２１９を介して、移動体通信網２０に送信することで、グループリスト管理サーバ３００へグループ参加手続きを行うことができる。
【００６６】
図９は、ＰｏＣ端末装置を示す平面図である。
図９に示すように表示部２１２には、参加可能なＧｒｏｕｐＮａｍｅ（グループ名）として、Ａｒｅａ−Ａ−Ｎｏ１、Ｏｆｆｉｃｅ、ｆａｍｉｌｙが表示されている。例えば、ユーザがＧｒｏｕｐＮａｍｅ：Ａｒｅａ−Ａ−Ｎｏ１への参加を所望する場合は、ユーザが、端末操作受け付け部２１３を操作して、グループＩＤ：Ａｒｅａ−ａ−０１を選択することにより参加（enter）動作が行われ、その結果グループＩＤ受信通知指示がＰｏＣ情報発信装置連携部２１７に送信される。
【００６７】
そしてＰｏＣ情報発信装置連携部２１７がグループＩＤ受信通知を通信制御部２１８および無線通信手段２１９を介してＰｏＣ情報発信装置１００に送信する。
図１０は、グループリスト管理サーバを示すブロック図である。
【００６８】
グループリスト管理サーバ３００は、グループに関する情報を格納するグループ管理データ記憶部３０１と、グループに関する情報の管理やグループＩＤの生成を行うグループ情報管理／生成部３０２と、ＰｏＣ端末装置２００からのプレゼンス要求時に、管理しているグループＩＤとユーザリストとを転送するプレゼンス連携部３０３と、ＰｏＣサーバ５００からの要求により、管理しているグループの情報とユーザリストとをＰｏＣサーバ５００に転送するＰｏＣサーバ連携部３０４と、ＰｏＣ端末装置２００からのグループ生成、グループ参加、グループ脱退、グループ削除要求を受け付けて管理しているグループの情報の変更を行うＰｏＣ端末連携部３０５と、ＰｏＣ情報発信装置１００に関する情報を格納する装置情報記憶部３０６と、連携部３０７と、通信手段３０８を有している。
【００６９】
グループ管理データ記憶部３０１は、グループに関する情報を管理するグループ管理テーブル３２０を有している。
ＰｏＣ端末連携部３０５は、ＰｏＣ端末装置２００からのグループ参加通知を受け付けると、グループ情報管理／生成部３０２に対してグループ管理テーブル３２０の書き換え要求を出力する。
【００７０】
装置情報記憶部３０６は、グループＩＤ、所定返信回数情報および発信者権限情報等、ＰｏＣ情報発信装置１００の情報を管理する装置情報管理テーブル３１０を有している。
連携部３０７は、通信手段３０８を介して、ＰｏＣ情報発信装置１００からの所定回数送信通知を受信すると、グループ情報管理／生成部３０２に新たなグループＩＤ（以下新規グループＩＤという）の生成要求を行う。また、連携部３０７は、グループ情報管理／生成部３０２からグループ情報送信指示を受信すると、グループＩＤ、発信者権限情報および所定返信回数情報を装置情報管理テーブル３１０から読み出し、通信手段３０８を介してＰｏＣ情報発信装置１００に送信する。さらに、連携部３０７は、新規グループＩＤ送信指示を受信すると、通信手段３０８を介してＰｏＣ情報発信装置１００に送信する。
【００７１】
通信手段３０８は、ＰｏＣ情報発信装置１００との間で、各種情報の送受信を行うインタフェース部である。
グループ情報管理／生成部３０２は、新規グループＩＤの生成要求があると、新たにグループＩＤを生成し、装置情報管理テーブル３１０およびグループ管理テーブル３２０に新規グループＩＤを登録する。登録後、連携部３０７は、グループ情報管理／生成部３０２からの指示によりＰｏＣ情報発信装置１００に新規グループＩＤを発信することが可能となる。
【００７２】
また、グループ情報管理／生成部３０２は、グループ管理テーブル３２０の書き換え要求があると、グループ管理テーブル３２０を更新し、後述するＧｒｏｕｐＮａｍｅをＰｏＣ端末装置２００に出力するよう指示する。
【００７３】
次に、グループ情報について説明する。
図１１は、装置情報管理テーブルを示す図である。
装置情報管理テーブル３１０は、ＰｏＣ情報発信装置（図１１ではＰｏＣ情報発信装置１００、１００ａ）毎に、どのグループＩＤを発信すればよいかのデータを保持・管理するテーブルであり、情報発信装置番号、情報発信装置ＩＰアドレス、所定返信回数、発信者権限情報、グループＩＤの欄が設けられている。各欄の横方向に並べられた情報同士が互いに関連づけられている。
【００７４】
情報発信装置番号の欄には、ＰｏＣ情報発信装置１００を識別するためのＰｏＣ情報発信装置１００固有の番号（製造番号等）が設定される。情報発信装置ＩＰアドレスの欄には、グループリスト管理サーバ３００がグループＩＤを発信する情報発信装置１００のＩＰアドレスが設定される。
【００７５】
所定返信回数の欄には、新規グループＩＤを作成する回数が設定される。１つのグループＩＤに対してこの欄に設定された回数以上の送信があると、新規グループＩＤが作成される。
【００７６】
発信者権限情報の欄には、発信者権限を通知するＰｏＣ端末装置のＩＰアドレスが設定される。
グループＩＤの欄には、ユーザのＰｏＣ端末装置の表示部２１２に表示させるグループＩＤが設定される。このグループＩＤとしては、後述するグループＵＲＩが設定される。
【００７７】
例えば、ＰｏＣ情報発信装置１００は、情報発信装置ＩＰアドレスが１９２．１６８．１２０．１、所定返信回数が２０、発信者権限情報が１９２．１６８．１．１、グループＩＤがＡｒｅａ-ａ-０１であり、ＰｏＣ情報発信装置１００ａは、情報発信装置ＩＰアドレスが１９２．１６８．１２０．２、所定返信回数が３０、発信者権限情報が１９２．１６８．１．２、グループＩＤがＡｒｅａ−ｂ−０２である。
【００７８】
次に、グループ管理テーブル３２０について説明する。
図１２は、グループ管理テーブルを示す図である。
グループ管理テーブル３２０には、ＧｒｏｕｐＮａｍｅ、グループＵＲＩ、グループ員情報１、グループ員情報２・・・の欄が設けられている。各欄の縦方向に並べられた情報同士が互いに関連づけられている。
【００７９】
ＧｒｏｕｐＮａｍｅの欄には、エリア内を識別する識別名や、建物の名前、アトラクション名等が設定される。この欄の情報は、ＰｏＣ端末装置の表示部２１２に備考として出力されれば、ユーザが各グループを識別するために有用な情報となる。
【００８０】
グループＵＲＩの欄には、グループリスト管理サーバ上の同報通話を行うためのリソースのアドレスであるＵＲＩ（Uniform Resource Identifier）が設定される。
グループ員情報の欄には、グループを構成するＰｏＣ端末装置、即ち、ＰｏＣ情報発信装置１００によりエリア内に発信されたグループＩＤを受信し、それに応じてグループリスト管理サーバ３００へ送信（グループへの参加登録）を行ったＰｏＣ端末装置２００のＵＲＩが設定される。このグループ員情報は、グループ情報管理／生成部３０２からの、グループ管理テーブル３２０の書き換え要求に応じて更新（設定）される。
【００８１】
例えば、ＧｒｏｕｐＮａｍｅがＡｒｅａ−Ａ−Ｎｏ１のグループＵＲＩはＡｒｅａ−ａ−０１であり、このグループに対し２名のユーザ、Ｍｅｍｂｅｒ＃１および＃２から参加登録がなされた場合には、グループ員情報１はＭｅｍｂｅｒ＃１のＰｏＣ  ＵＲＩ、グループ員情報２はＭｅｍｂｅｒ＃２のＰｏＣ  ＵＲＩが設定される。
【００８２】
また、図１２中点線内は、新規グループＩＤが作成されたときの例を示している。この場合新規グループＩＤはＡｒｅａ−ａ−０２であり、このグループに対し１名のユーザ、Ｍｅｍｂｅｒ＃２１が参加登録を行った場合には、グループ員情報１はＭｅｍｂｅｒ＃２１のＰｏＣ  ＵＲＩが設定される。
【００８３】
次に、情報発信システム１０の初期動作について説明する。
図１３は、情報発信システムの初期動作を示すフローチャートである。
まず、グループリスト管理サーバ３００が、情報発信装置１００に対してグループＩＤ、発信者権限情報および所定返信回数情報を送信する（ステップＳ１１）。
【００８４】
次に、グループ情報操作部１１５が、通信手段１１９および通信制御部１１４を介して、グループリスト管理サーバ３００から通知されたグループＩＤ、発信者権限情報および所定返信回数情報を取得し、グループＩＤ登録要求をグループＩＤ管理部１１２に出力し、発信者権限情報を発信者権限情報記憶部１１６に格納し、所定返信回数を返信回数記憶部１１７に格納する（ステップＳ１２）。
【００８５】
その後、グループＩＤ管理部１１２は、グループＩＤをグループＩＤ記憶部１１１に格納する（ステップＳ１３）。
また、このときグループ情報操作部１１５は、グループリスト管理サーバＩＰアドレスを取得し、グループリスト管理サーバ情報記憶部１１８に格納する（ステップＳ１４）。
【００８６】
なお、ステップＳ１４をステップＳ１３より前に行ってもよいし、ステップＳ１３とステップＳ１４とを同時に行ってもよい。
そして、グループ情報操作部１１５は、グループＩＤを取得すると、通信制御部１１４に発信者権限通知を出力する（ステップＳ１５）。
【００８７】
その後、グループＩＤ管理部１１２は、グループＩＤ発信指示をグループＩＤ送信部１１３に行い、グループＩＤ送信部１１３が通信制御部１１４にグループＩＤ発信通知を行う（ステップＳ１６）、これによりＰｏＣ情報発信装置１００からグループＩＤの発信がブロードキャストに開始される。
【００８８】
以上の動作により、情報発信装置１００によるエリアＡ１でのグループＩＤの発信が可能となり、エリアＡ１に移動してきたＰｏＣ端末装置２００のグルーピングが可能となる。
【００８９】
次に、ＰｏＣ情報発信システム１０の動作について説明する。
図１４は、第１の実施の形態のＰｏＣ情報発信システムの動作シーケンスを示す図である。なお、図１４では、初期設定として、グループリスト管理サーバ３００からグループＩＤ：Ａｒｅａ−ａ−０１、発信者権限情報：１９２．１６８．１．１、所定返信回数情報：２０がＰｏＣ情報発信装置１００に通知されており、返信回数が１８回のときに、ＰｏＣ端末装置２００ａ、２００ｂ、２００ｃが、この順にエリアＡ１に移動してきた場合の動作シーケンスを示している。
【００９０】
ＰｏＣ端末装置２００ａがエリアＡ１に移動した場合、ＰｏＣ端末装置２００ａはＰｏＣ情報発信装置１００から、現在参加することのできるグループＩＤ：Ａｒｅａ−ａ−０１を無線ＬＡＮを介して受信する（ステップＳ２１）。このとき、ＰｏＣ端末装置２００ａの表示部２１２には、参加可能なグループとして、Ａｒｅａ−ａ−０１が選択可能な状態として表示される。このグループへの参加をユーザが所望する場合は、ユーザは、Ａｒｅａ−ａ−０１を選択し参加（enter）操作を行う。この操作により、ＰｏＣ端末装置２００ａがグループＩＤ受信通知を無線ＬＡＮを介してＰｏＣ情報発信装置１００に返すとともに（ステップＳ２２）、参加するグループＩＤを含んだ登録依頼を移動体通信網２０を介してグループリスト管理サーバ３００へ送信し、グループリスト管理サーバ３００がＰｏＣ端末装置２００ａからのアクセスを受け付け、グループ管理テーブル３２０のうち、アクセスされたＵＲＩに該当するグループ管理テーブル３２０のグループ員情報に、アクセスしてきたＰｏＣ端末装置２００ａの情報を追加更新する（ステップＳ２３）。
【００９１】
グループＩＤ受信通知を受信したＰｏＣ情報発信装置１００は、返信回数をカウントアップし（ステップＳ２４）、所定返信回数に到達しているか否かを確認する。ステップＳ２４では、返信回数が１９回なのでまだ所定返信回数に到達していないと判断し、所定回数送信通知を送信しない。次に、ＰｏＣ端末装置２００ｂがエリアＡ１内に移動した場合、ＰｏＣ端末装置２００ｂはグループＩＤを受信後（ステップＳ２５）、グループＩＤ受信通知をＰｏＣ情報発信装置１００に返し（ステップＳ２６）、ステップＳ２２およびＳ２３と同様の処理が行われる（ステップＳ２７）。
【００９２】
このとき、ＰｏＣ情報発信装置１００は、返信回数をカウントアップし所定返信回数に到達しているか否かを確認する（ステップＳ２８）。ステップＳ２８では返信回数が２０回なので所定返信回数に到達したと判断し、ＰｏＣ情報発信装置１００は、新規グループＩＤを取得するためにグループリスト管理サーバ３００に所定回数送信通知を送信する（ステップＳ２９）。所定回数送信通知を受信したグループリスト管理サーバ３００は新規グループＩＤ：Ａｒｅａ−ａ−０２を生成し（ステップＳ３０）、ＰｏＣ情報発信装置１００に通知する（ステップＳ３１）。新規グループＩＤを受信したＰｏＣ情報発信装置１００では、新規グループＩＤの登録を行い、かつ、ＰｏＣ端末装置２１０に新規グループＩＤを通知する（ステップＳ３２）。その後、ＰｏＣ情報発信装置１００は返信回数のクリアを行い（ステップＳ３３）、新規グループＩＤの発信の開始を行う。
【００９３】
その後、ＰｏＣ端末装置２００ｃがエリアＡ１に移動した場合は、新規グループＩＤを受信する（ステップＳ３４）。そして、ＰｏＣ端末装置２００ｃは新規グループＩＤ受信通知をＰｏＣ情報発信装置１００に返し（ステップＳ３５）、ステップＳ２３と同様の処理が行われる（ステップＳ３６）。これにより新規グループＩＤ受信通知を受信したＰｏＣ情報発信装置１００は、返信回数をカウントアップし（ステップＳ３７）、ＰｏＣ端末装置２００ｃは新規グループＩＤ：Ａｒｅａ−ａ−０２にグルーピングされる。以後同様の動作を繰り返す。
【００９４】
これにより、グループＩＤ毎の、各ＰｏＣ端末装置２００固有の情報が得られる。ＰｏＣ端末装置２１０を有する管理者は、必要に応じて、任意のグループを指定し、これらに対してＰｏＣ通信を行うことにより、同じグループを構成する全てのＰｏＣ端末装置２００に対してＰｏＣによる通話を行うことができる。このとき、同じグループ内では、ＰｏＣ端末装置２００同士は、通話をすることができず、ＰｏＣ端末装置２１０とのみＰｏＣによる通話を行うことができる。これにより、管理者は必要な情報を、円滑にＰｏＣ端末装置２００を有するユーザに伝達することができる。
【００９５】
次に、ＰｏＣ端末装置２００がエリアＡ１に移動したときのＰｏＣ情報発信装置１００の動作について詳しく説明する。
図１５は、ＰｏＣ端末装置がエリアに移動したときのＰｏＣ情報配信装置の動作を示すフローチャートである。
【００９６】
ＰｏＣ端末装置２００からのグループＩＤ受信通知があると、まず、グループ情報操作部１１５が、通信手段１１９および通信制御部１１４を介して受信する（ステップＳ４１）。
【００９７】
次に、グループ情報操作部１１５は、返信回数記憶部１１７に記憶されている返信回数情報の返信回数をカウントアップし（ステップＳ４２）、返信回数が返信回数記憶部１１７に記憶されている所定の返信回数に到達したか否かをチェックする（ステップＳ４３）。
【００９８】
返信回数が所定の返信回数に達していない場合（ステップＳ４３のＮｏ）は、グループ情報操作部１１５が、返信回数記憶部１１７の返信回数管理テーブル１２０の返信回数を上書きし、待機する。
【００９９】
一方、返信回数が所定の返信回数に達した場合（ステップＳ４３のＹｅｓ）、グループ情報操作部１１５は、通信手段１１９および通信制御部１１４を介して、所定回数送信通知（新規グループＩＤ登録要求）をグループリスト管理サーバ３００に通知する（ステップＳ４４）。
【０１００】
これにより、グループリスト管理サーバ３００は、新規グループＩＤを生成し、ＰｏＣ情報発信装置１００に対して送信する（ステップＳ４５）。ＰｏＣ情報発信装置１００は、新規グループＩＤをグループＩＤ記憶部１１１に格納する（ステップＳ４６）。
【０１０１】
この後、ＰｏＣ情報発信装置１００は、新規グループＩＤでのグループＩＤ発信指示を行う（ステップＳ４７）。
以上説明したように、ＰｏＣ情報発信システム１０によれば、ＰｏＣ情報発信装置１００を設置したことにより、グループＩＤを受け取ったＰｏＣ端末装置２００からの受信通知をカウントすることにより、グループに参加するＰｏＣ端末装置２００の数（参加人数）に応じて新規グループＩＤを動的に生成することができる。
【０１０２】
また、グループが複数存在する場合でも、グループリスト管理サーバ３００によりグループ毎に管理されるため、複数のグループのグルーピングを容易かつ確実に行うことができる。
【０１０３】
これにより、例えば、複数のアトラクションが備えられた広い遊園地の中における各アトラクションの順番待ちの管理にＰｏＣ情報発信システム１０を適用した場合、ＰｏＣ端末装置２１０を有するアトラクションの管理者は、次に呼び出すべきグループ（順番待ちしている利用者のうち、入場可能になった利用者）にＰｏＣを利用して入場を促す旨の通知をすることができるようになる。
【０１０４】
具体的には、アトラクションの入り口（近傍）ごとにＰｏＣ情報発信装置１００が備えられ、そのアトラクションへの入場を希望するＰｏＣ端末装置２００ａないし２００ｃを保持する各ユーザがアトラクションの入り口へ接近すると、ＰｏＣ端末装置２００ａないし２００ｃがＰｏＣ情報発信装置１００からの情報を受信する。ＰｏＣ端末装置２００ａないし２００ｃはユーザの指示入力に応じてグループへの参加登録（アトラクションへの入場予約）を行う。アトラクションの管理者は、いずれのグループにも受発信権限をもった形でメンバとして登録され、自分が管理するアトラクションにつき、現在いくつのグループが存在するかを認識できる状態におかれる。
【０１０５】
本発明をこのように適用することで、ＰｏＣ端末装置２１０を保持するアトラクションの管理者が入場順番待ちの人数をカウントすることなく順番待ちグループを適切な人数ごとに作成することができ、かつ、順番待ち中のユーザの現在位置に関係なくＰｏＣ通信による呼び出しを行うことができる。また、順番待ちのユーザも順番待ちによる整列を行うことなく広い園内のどこでもＰｏＣ通信が可能な範囲で自由に行動することができる。従って、随時人数が変化するアトラクションの入場待ち行列を管理することが容易になる。アトラクション入場時にＰｏＣ端末装置２００の識別情報をチェックすれば、実際に入場したユーザがわかる。入場済のユーザについてはＰｏＣグループから削除すれば、入場を待っているユーザのみをＰｏＣグループのメンバとして管理することが可能になる。
【０１０６】
もちろん、本発明はこのような適用に限定されるものではない。
なお、本実施の形態ではグループＩＤとして通し番号を用いたが、これに限らず例えばグループリスト管理サーバから通知された特定地域でのグループＩＤに時間情報などを付与したものを新規グループＩＤとしてもよい。これにより、新規グループＩＤが作成された時間を容易に知ることができる。
【０１０７】
次に、ＰｏＣ情報発信システムの第２の実施の形態について説明する。
以下、第２の実施の形態のＰｏＣ情報発信システム１０について、前述した第１の実施の形態との相違点を中心に説明し、同様の事項については、その説明を省略する。
【０１０８】
第２の実施の形態のＰｏＣ情報発信システム１０は、グループリスト管理サーバ３００ではなくＰｏＣ情報発信装置１００が新規グループＩＤを生成する点が異なり、それ以外は第１の実施の形態と同様である。具体的には、ＰｏＣ情報発信装置１００のグループ情報操作部１１５が、所定返信回数通知を行う代わりに、グループＩＤ管理部１１２に新規グループＩＤ生成指示を行い、生成されたグループＩＤをグループリスト管理サーバ３００に登録する動作を行う。
【０１０９】
また、グループリスト管理サーバ３００では、連携部３０７が、所定回数送信通知を受信する代わりに、グループＩＤ登録要求を受け付け、グループ情報管理／生成部３０２を介してグループ管理データ記憶部３０１のグループ管理テーブル３２０を更新する。
【０１１０】
図１６は、第２の実施の形態のＰｏＣ情報発信システムの動作シーケンスを示す図である。
なお、図１６に示すステップＳ２１〜Ｓ２８についての動作については図１４に示す第１の実施の形態のＰｏＣ情報発信システム１０と同様であるため説明を省略し、ステップＳ２９以降について説明する。
【０１１１】
ステップＳ２８では返信回数が所定返信回数に到達するため、グループＩＤを一部変更し新規グループＩＤを作成し、グループリスト管理サーバ３００に登録するとともにＰｏＣ端末装置２１０に発信者権限通知を行う（ステップＳ２９ａ）。
【０１１２】
次に、ＰｏＣ情報発信装置１００は、グループリスト管理サーバ３００に対してグループＩＤ：Ａｒｅａ−ａ−０２の登録要求通知を送信する（ステップＳ３０ａ）。
なお、ステップＳ３１ａ〜Ｓ３６ａについては、図１４に示すステップＳ３２〜Ｓ３７と同様であるため説明を省略する。
【０１１３】
この第２の実施の形態のＰｏＣ情報発信システム１０によれば、第１の実施の形態のＰｏＣ情報発信システム１０と同様の効果が得られる。
以上本発明の好適な実施の形態について詳述したが、本発明は、その特定の実施の形態に限定されるものではない。
【０１１４】
なお、前述した実施の形態では、エリアＡ１内に１つのＰｏＣ情報発信装置１００を設置したがこれに限らず、例えば、２つ以上のＰｏＣ情報発信装置を設置してもよい。ＰｏＣ情報発信装置がエリアＡ１内に複数存在している場合においても、グループリスト管理サーバ３００がＰｏＣ情報発信装置にそれぞれ対応するグループＩＤを発信し、ＰｏＣ端末装置２００は、ＰｏＣ情報発信装置毎のＧｒｏｕｐＮａｍｅおよびグループＩＤを受信することができる。
【０１１５】
また、前述した各実施の形態では、ＰｏＣ情報発信装置１００は移動体キャリアプライベートＩＰ網３０を介してグループリスト管理サーバ３００、ＳＩＰサーバ４００、ＰｏＣサーバ５００および保守用端末６００と接続したがこれに限らず、例えば、移動体キャリアプライベートＩＰ網３０の代わりに社内ＩＰ網やインターネット等を介して接続してもよい。また、社内ＩＰ網やインターネット等に接続された無線ＬＡＮネットワークを用いることもできる。この場合、ＰｏＣ情報発信装置１００は、無線ＬＡＮネットワークにおける無線ＬＡＮアクセスポイントのクライアントとして機能する。すなわち、ＰｏＣ情報発信装置１００は、アクセスポイントからプライベートアドレスが割り当てられインターネット等に接続可能となる。
【０１１６】
また、前述した各実施の形態では、グループＩＤとしてＵＲＩを用いたが、本発明ではこれに限定されない。
なお、ＰｏＣ端末装置２００、２１０は、従来のＰｏＣサービスを実現するための機能を有し、ＳＩＰ、ＲＴＰ（Real-time Transport Protocol）、ＲＴＣＰ（RTP Control Protocol）を用いてグループメンバー間のＰｏＣによるセッションおよび通話を実施することができることは言うまでもない。
【０１１７】
以下に、移動体サービスの標準化団体ＯＭＡ（Open Mobile Alliance）が推進しているＰｏＣの標準化仕様に関するドキュメントを示す。
[参考ドキュメント]
(1)Push to talk over Cellular (PoC) - Architecture Draft Version 1.0 - 18 January 2005(Open Mobile AllianceOMA-AD＿PoC-V1＿0-2005018-D)
(2)Presence Requirements Version 1.0 - 19 August 2004(Open Mobile Alliance OMA-RD＿Presence-V1＿0-20040819)
(3)Group Management Requirements Candidate Version 1.0 - 30 Sep 2004(Open Mobile Alliance OMA-RD＿GM-V1＿0-20040930-C)
(4)Stage 2 - Presence using SIMPLE Draft Version 1.0 - 30 October 2004(Open Mobile Alliance OMA-PAG-SIMPLE-AD-V1＿1＿0-20041030-D)
なお、上記のＰｏＣ情報発信装置１００の処理機能は、コンピュータによって（コンピュータに所定のＰｏＣ情報発信プログラムを実行させることにより）実現することができる。その場合、ＰｏＣ情報発信装置１００が有すべき機能の処理内容を記述したＰｏＣ情報管理プログラムが提供される。ＰｏＣ情報管理プログラムをコンピュータで実行することにより、上記処理機能がコンピュータ上で実現される。処理内容を記述したＰｏＣ情報管理プログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ（Digital Versatile Disc）、ＤＶＤ−ＲＡＭ（Random Access Memory）、ＣＤ−ＲＯＭ（Compact Disc Read Only Memory）、ＣＤ−Ｒ（Recordable）／ＲＷ（ReWritable）などがある。光磁気記録媒体には、ＭＯ（Magneto-Optical disk）などがある。
【０１１８】
ＰｏＣ情報管理プログラムを流通させる場合には、たとえば、ＰｏＣ情報管理プログラムが記録されたＤＶＤ、ＣＤ−ＲＯＭなどの可搬型記録媒体が販売される。また、ＰｏＣ情報管理プログラムをサーバコンピュータの記憶装置に格納しておき、ネットワークを介して、サーバコンピュータから他のコンピュータにＰｏＣ情報管理プログラムを転送することもできる。
【０１１９】
ＰｏＣ情報管理プログラムを実行するコンピュータは、たとえば、可搬型記録媒体に記録されたＰｏＣ情報管理プログラムもしくはサーバコンピュータから転送されたＰｏＣ情報管理プログラムを、自己の記憶装置に格納する。そして、コンピュータは、自己の記憶装置からＰｏＣ情報管理プログラムを読み取り、ＰｏＣ情報管理プログラムに従った処理を実行する。なお、コンピュータは、可搬型記録媒体から直接ＰｏＣ情報管理プログラムを読み取り、ＰｏＣ情報管理プログラムに従った処理を実行することもできる。また、コンピュータは、サーバコンピュータからＰｏＣ情報管理プログラムが転送される毎に、逐次、受け取ったＰｏＣ情報管理プログラムに従った処理を実行することもできる。
【０１２０】
（付記１）  プッシュ・ツー・トークを行うためのプッシュ・ツー・トーク情報発信装置において、
所定のエリアに対してプッシュ・ツー・トークに参加する端末装置の情報の発信の指示と前記端末装置により形成されるグループの一意の識別とをするためのグループ情報を繰り返し発信する情報発信手段と、
返信を返した前記端末装置の数をカウントするカウント手段と、を有し、
前記情報発信手段は、前記返信の数が所定の回数に達したとき、新たな前記グループ情報を発信することを特徴とするプッシュ・ツー・トーク情報発信装置。
【０１２１】
（付記２）  前記新たな前記グループ情報を作成するグループ情報作成手段をさらに有することを特徴とする付記１記載のプッシュ・ツー・トーク情報発信装置。
（付記３）  前記エリア内には、管理者権限を有する管理用端末装置が予め設けられており、
前記管理用端末装置は、同じグループを構成する前記端末装置の情報を受信し、前記同じグループを構成する前記端末装置との間で送受信を行うことを特徴とする付記１記載のプッシュ・ツー・トーク情報発信装置。
【０１２２】
（付記４）  前記同じグループ内では、前記管理用端末装置は前記エリア内の全ての前記端末装置とプッシュ・ツー・トークが可能であり、前記端末装置は前記管理用端末装置とのみプッシュ・ツー・トークが可能であることを特徴とする付記３記載のプッシュ・ツー・トーク情報発信装置。
【０１２３】
（付記５）  新たな前記グループ情報は、ネットワークを介して接続されたグループリスト管理サーバから得ることを特徴とする付記１記載のプッシュ・ツー・トーク情報発信装置。
【０１２４】
（付記６）  プッシュ・ツー・トークを行うためのプッシュ・ツー・トーク情報発信方法において、
所定のエリアに対してプッシュ・ツー・トークに参加する端末装置の情報の発信の指示と前記端末装置により形成されるグループの一意の識別とをするためのグループ情報を繰り返し発信し、
返信を返した前記端末装置の数をカウントし、
前記返信の数が所定の回数に達したとき、新たな前記グループ情報を発信する、
ことを特徴とするプッシュ・ツー・トーク情報発信方法。
【０１２５】
（付記７）  プッシュ・ツー・トークに参加する端末装置のグループを管理するグループリスト管理サーバにおいて、
所定のエリアに対して前記端末装置の情報の発信の指示と前記端末装置により形成されるグループの一意の識別とをするためのグループ情報の発信により、前記端末装置から発信される情報を前記グループ毎に管理することを特徴とするグループリスト管理サーバ。
【０１２６】
（付記８）  前記返信を返した前記端末装置の数が所定の回数に達したとき、新たな前記グループ情報を作成し、送信することを特徴とする付記７記載のグループリスト管理サーバ。
【０１２７】
（付記９）  プッシュ・ツー・トークを行うためのプッシュ・ツー・トーク情報発信システムにおいて、
所定のエリアに対してプッシュ・ツー・トークに参加する端末装置の情報の発信の指示と前記端末装置により形成されるグループの一意の識別とをするためのグループ情報を繰り返し発信する情報発信手段と、返信を返した前記端末装置の数をカウントするカウント手段と、を有し、前記情報発信手段は、前記返信の数が所定の回数に達したとき、新たな前記グループ情報を発信するプッシュ・ツー・トーク情報発信装置と、
前記情報の発信の指示により前記端末装置から発信される情報を前記グループ毎に管理するグループリスト管理サーバと、
を有することを特徴とするプッシュ・ツー・トーク情報発信システム。
【図面の簡単な説明】
【０１２８】
【図１】実施の形態に適用されるＰｏＣ情報配信システムの原理図である。
【図２】ＰｏＣ情報発信システムを示すブロック図である。
【図３】ＰｏＣ情報発信装置のハードウェア構成例を示す図である。
【図４】ＰｏＣ情報発信装置の構成を示すブロック図である。
【図５】グループＩＤ返信回数管理テーブルを示す図である。
【図６】発信者権限管理テーブルを示す図である。
【図７】グループリスト管理サーバ情報テーブルを示す図である。
【図８】ＰｏＣ端末装置を示すブロック図である。
【図９】ＰｏＣ端末装置を示す平面図である。
【図１０】グループリスト管理サーバを示すブロック図である。
【図１１】装置情報管理テーブルを示す図である。
【図１２】ＰｏＣグループ管理テーブルを示す図である。
【図１３】情報発信システムの初期動作を示すフローチャートである。
【図１４】第１の実施の形態のＰｏＣ情報発信システムの動作シーケンスを示す図である。
【図１５】ＰｏＣ端末装置がエリアに移動したときのＰｏＣ情報配信装置の動作を示すフローチャートである。
【図１６】第２の実施の形態のＰｏＣ情報発信システムの動作シーケンスを示す図である。
【図１７】従来のＰｏＣにおける、同報通話グルービング方法の概要を示す図である。
【符号の説明】
【０１２９】
１、１０  ＰｏＣ情報発信システム
２、１００  ＰｏＣ情報発信装置
３、３ａ、２００、２１０  ＰｏＣ端末装置
４  管理者用端末装置
５、３００  グループリスト管理サーバ
３０  移動体キャリアプライベートＩＰ網
１１５  グループ情報操作部
【図１】
2007067995.tif 000003
【図２】
2007067995.tif 000004
【図３】
2007067995.tif 000005
【図４】
2007067995.tif 000006
【図５】
2007067995.tif 000007
【図６】
2007067995.tif 000008
【図７】
2007067995.tif 000009
【図８】
2007067995.tif 000010
【図９】
2007067995.tif 000011
【図１０】
2007067995.tif 000012
【図１１】
2007067995.tif 000013
【図１２】
2007067995.tif 000014
【図１３】
2007067995.tif 000015
【図１４】
2007067995.tif 000016
【図１５】
2007067995.tif 000017
【図１６】
2007067995.tif 000018
【図１７】
2007067995.tif 000019